(57)【要約】【課題】  画質の劣化を抑制すると共に、高い圧縮率での圧縮処理を施す。【解決手段】  複写機１の制御部７００のＣＰＵ７１０は、写真領域の画像データをＲＧＢ形式からＹＵＶ形式にデータ変換するデータ変換部７１３と、画像データに含まれる全ての画素のＵ成分データ及びＶ成分データの絶対値が所定値以下であるか否かによって、画像データが無彩色データであるか否かの判定を行う彩色判定部７１５と、彩色判定部７１５によって画像データが無彩色データであると判定された場合に、Ｙ成分データに対して所定の圧縮率での圧縮処理を施して画像データの圧縮データを生成する第１圧縮部７１８とを備えている。【選択図】      図２
2006287400.tif 000002
【特許請求の範囲】
【請求項１】
カラー画像の画像データを圧縮する画像処理装置であって、
前記画像データを、輝度を表わすデータである輝度データと色彩を表わすデータである色データとに変換するデータ変換手段と、
前記画像データが、前記色データが所定の範囲内にある無彩色データであるか否かを判定する彩色判定手段と、
前記画像データが無彩色データであると判定された場合に、前記輝度データに対して所定の圧縮率での圧縮処理を施して前記画像データの圧縮データを生成する圧縮手段とを備えることを特徴とする画像処理装置。
【請求項２】
前記輝度データのバラツキを表わす分散値を求める分散値算出手段と、
前記分散値に基づいて圧縮率を設定する圧縮率設定手段とを備え、
前記圧縮手段は、前記輝度データに対して前記圧縮率設定手段によって設定された圧縮率での圧縮処理を施すことを特徴とする請求項１に記載の画像処理装置。
【請求項３】
前記圧縮率設定手段は、前記分散値が小さい程、大きい圧縮率を設定することを特徴とする請求項２に記載の画像処理装置。
【請求項４】
前記圧縮率設定手段は、前記分散値が大きい程、大きい圧縮率を設定することを特徴とする請求項２に記載の画像処理装置。
【請求項５】
前記データ変換手段は、輝度データであるＹ成分データと、色データであるＵ成分データ及びＶ成分データとからなるＹＵＶ形式に変換することを特徴とする請求項１〜４のいずれかに記載の画像処理装置。
【請求項６】
前記圧縮手段は、ＪＰＥＧ方式での圧縮処理を施すことを特徴とする請求項１〜５のいずれかに記載の画像処理装置。
【請求項７】
請求項１〜６のいずれかに記載の画像処理装置と、
前記画像処理装置によって圧縮された画像データを格納する画像データ記憶手段と、
前記画像データ記憶手段から圧縮された画像データを読み出して、伸長処理を施す伸長手段と、
伸長処理を施された画像データを記録紙上に印刷する印刷手段とを備えることを特徴とする画像形成装置。
【請求項８】
コンピュータを備え、カラー画像の画像データを圧縮する画像処理装置の画像処理プログラムであって、前記コンピュータを、
前記画像データを、輝度を表わすデータである輝度データと色彩を表わすデータである色データとに変換するデータ変換手段と、
前記画像データが、前記色データが所定の範囲内にある無彩色データであるか否かを判定する彩色判定手段と、
前記画像データが無彩色データであると判定された場合に、前記輝度データに対して所定の圧縮率での圧縮処理を施して前記画像データの圧縮データを生成する圧縮手段として機能させることを特徴とする画像処理プログラム。
【発明の詳細な説明】
【技術分野】
【０００１】
本発明は、カラー画像の画像データを圧縮する画像処理装置、画像形成装置及び画像処理プログラムに関するものである。
【背景技術】
【０００２】
複写機などの画像形成装置のディジタル化に伴って、スキャナ等で原稿を読み取った画像データがメモリに格納されるが、この画像データを効率的にメモリに格納するために、画像データを圧縮処理する種々の技術が提案されている。
【０００３】
例えば、画像データの属性を判定し、圧縮処理を施しても画像の劣化が少ない属性（写真等）のデータに対しては高圧縮率での圧縮処理を施し、圧縮処理を施すと情報が欠落する虞のある属性（文字等）のデータに対しては低圧縮率での圧縮処理を施すことが提案されている（特許文献１参照）。
【特許文献１】特開２００１−１８６３５６号公報
【発明の開示】
【発明が解決しようとする課題】
【０００４】
しかし、特にカラー画像の画像データを圧縮処理する際には、画質の劣化が発生する場合があり、高い圧縮率での圧縮処理を施すことが困難である場合があった。
【０００５】
本発明は上記課題に鑑みてなされたもので、画質の劣化を抑制すると共に、高い圧縮率での圧縮処理を施すことの可能な画像処理装置、画像形成装置及び画像処理プログラムを提供するものである。
【課題を解決するための手段】
【０００６】
請求項１に記載の画像処理装置は、カラー画像の画像データを圧縮する画像処理装置であって、前記画像データを、輝度を表わすデータである輝度データと色彩を表わすデータである色データとに変換するデータ変換手段と、前記画像データが、前記色データが所定の範囲内にある無彩色データであるか否かを判定する彩色判定手段と、前記画像データが無彩色データであると判定された場合に、前記輝度データに対して所定の圧縮率での圧縮処理を施して前記画像データの圧縮データを生成する圧縮手段とを備えることを特徴としている。
【０００７】
請求項８に記載の画像処理プログラムは、コンピュータを備え、カラー画像の画像データを圧縮する画像処理装置の画像処理プログラムであって、前記コンピュータを、前記画像データを、輝度を表わすデータである輝度データと色彩を表わすデータである色データとに変換するデータ変換手段と、前記画像データが、前記色データが所定の範囲内にある無彩色データであるか否かを判定する彩色判定手段と、前記画像データが無彩色データであると判定された場合に、前記輝度データに対して所定の圧縮率での圧縮処理を施して前記画像データの圧縮データを生成する圧縮手段として機能させることを特徴としている。
【０００８】
これらの構成によれば、データ変換手段によって、画像データが、輝度を表わすデータである輝度データと色彩を表わすデータである色データとに変換され、彩色判定手段によって、画像データが、色データが所定の範囲内にある無彩色データであるか否かが判定される。そして、圧縮手段によって、画像データが無彩色データであると判定された場合に、輝度データに対して所定の圧縮率での圧縮処理を施して画像データの圧縮データが生成される。
【０００９】
従って、画像データが無彩色データであると判定された場合に、輝度データに対して所定の圧縮率での圧縮処理を施して画像データの圧縮データが生成されるため、画質の劣化を抑制すると共に、高い圧縮率での圧縮処理を施すことが可能となる。
【００１０】
例えば、モノクロ（白黒）画像をカラースキャナで読み込んだ画像データには、スキャナでの読取誤差等として色データが含まれていることがあり、このような場合に、色データを含む画像データに対して圧縮処理を施して圧縮データを生成すると、得られた圧縮データには色データに対応する無駄なデータが含まれると共に、この圧縮データに伸長処理を施すと、色データが残存し画質の劣化の要因となることがある。
【００１１】
このような場合に、不要なデータである色データが破棄されて、輝度データに対して圧縮処理を施して圧縮データが生成されるため、色データの圧縮及び伸長処理に伴う画質の劣化を抑制すると共に、高い圧縮率での圧縮処理が施すことが可能となるのである。
【００１２】
請求項２に記載の画像処理装置は、前記輝度データのバラツキを表わす分散値を求める分散値算出手段と、前記分散値に基づいてを設定する圧縮率設定手段とを備え、前記圧縮手段が、前記輝度データに対して前記圧縮率設定手段によって設定された圧縮率での圧縮処理を施すことを特徴としている。
【００１３】
上記構成によれば、圧縮率設定手段によって、輝度データのバラツキを表わす分散値が求められ、求められた分散値に基づいて圧縮率が設定される。そして、圧縮手段によって、輝度データに対して圧縮率設定手段により設定された圧縮率での圧縮処理が施される。
【００１４】
従って、輝度データのバラツキを表わす分散値に基づいて設定された圧縮率での圧縮処理が施されるため、適正な圧縮率での圧縮処理が施される。
【００１５】
例えば、輝度データのバラツキが大きい画像データは、画質の劣化が生じ易いため、画質を優先する場合には、圧縮率を小さく設定することが好ましい。また、輝度データのバラツキが大きい画像データは、大きい圧縮率での圧縮が可能であるため、圧縮率を優先する場合には、圧縮率を大きく設定することが好ましい。
【００１６】
請求項３に記載の画像処理装置は、前記圧縮率設定手段が、前記分散値が小さい程、大きい圧縮率を設定することを特徴としている。
【００１７】
上記構成によれば、圧縮率設定手段によって、分散値が小さい程、大きい圧縮率が設定される。
【００１８】
従って、輝度データのバラツキである分散値が大きい画像データは、画質の劣化が生じ易く、分散値が小さい程、大きい圧縮率が設定される（逆に、分散値が大きい程、小さい圧縮率が設定される）ため、圧縮に伴う画質の劣化が抑制される。
【００１９】
請求項４に記載の画像処理装置は、前記圧縮率設定手段が、前記分散値が大きい程、大きい圧縮率を設定することを特徴としている。
【００２０】
上記構成によれば、圧縮率設定手段によって、分散値が大きい程、大きい圧縮率が設定される。
【００２１】
従って、輝度データのバラツキである分散値が大きい画像データは、大きい圧縮率での圧縮処理が可能であり、分散値が大きい程、大きい圧縮率が設定されるため、圧縮処理の圧縮率が増大される。
【００２２】
請求項５に記載の画像処理装置は、前記データ変換手段が、輝度データであるＹ成分データと、色データであるＵ成分データ及びＶ成分データとからなるＹＵＶ形式に変換することを特徴としている。
【００２３】
上記構成によれば、データ変換手段によって、輝度データであるＹ成分データと、色データであるＵ成分データ及びＶ成分データとからなるＹＵＶ形式に変換される。従って、ＹＵＶ形式に変換されるため、画像データが輝度データと色データとに簡単に分離される。
【００２４】
請求項６に記載の画像処理装置は、前記圧縮手段が、ＪＰＥＧ方式での圧縮処理を施すことを特徴としている。
【００２５】
上記構成によれば、圧縮手段によって、ＪＰＥＧ方式での圧縮処理が施される。従って、ＪＰＥＧ方式での圧縮処理が施されるため、更に画質の劣化を抑制することが可能となる。
【００２６】
請求項７に記載の画像形成装置は、請求項１〜６のいずれかに記載の画像処理装置と、前記画像処理装置によって圧縮された画像データを格納する画像データ記憶手段と、前記画像データ記憶手段から圧縮された画像データを読み出して、伸長処理を施す伸長手段と、伸長処理を施された画像データを記録紙上に印刷する印刷手段とを備えることを特徴としている。
【００２７】
上記構成によれば、請求項１〜６のいずれかに記載の画像処理装置によって、画像データが無彩色データであると判定された場合に、輝度データに対して所定の圧縮率での圧縮処理を施して画像データの圧縮データが生成され、画像データ記憶手段に、画像処理装置によって圧縮された画像データが格納される。そして、伸長手段によって、画像データ記憶手段から圧縮された画像データが読み出されて、伸長処理が施され、印刷手段によって、伸長処理を施された画像データが記録紙上に印刷される。
【００２８】
従って、請求項１〜６のいずれかに記載の画像処理装置を備えるため、色データの圧縮及び伸長処理に伴う画質の劣化を抑制すると共に、高い圧縮率での圧縮処理を施すことが可能な画像形成装置が実現される。
【発明の効果】
【００２９】
請求項１、８に記載の発明によれば、画像データが無彩色データであると判定された場合に、輝度データに対して所定の圧縮率での圧縮処理を施して画像データの圧縮データが生成されるため、画質の劣化を抑制できると共に、高い圧縮率での圧縮処理を施すことができる。
【００３０】
請求項２に記載の発明によれば、輝度データのバラツキを表わす分散値に基づいて設定された圧縮率での圧縮処理が施されるため、適正な圧縮率での圧縮処理を施すことができる。
【００３１】
請求項３に記載の発明によれば、輝度データのバラツキである分散値が大きい画像データは、画質の劣化が生じ易く、分散値が小さい程、大きい圧縮率が設定される（逆に、分散値が大きい程、小さい圧縮率が設定される）ため、圧縮に伴う画質の劣化を抑制できる。
【００３２】
請求項４に記載の発明によれば、輝度データのバラツキである分散値が大きい画像データは、大きい圧縮率での圧縮処理が可能であり、分散値が大きい程、大きい圧縮率が設定されるため、圧縮処理の圧縮率を増大できる。
【００３３】
請求項５に記載の発明によれば、データ変換手段によって、輝度データであるＹ成分データと、色データであるＵ成分データ及びＶ成分データとからなるＹＵＶ形式に変換される。従って、ＹＵＶ形式に変換されるため、画像データを輝度データと色データとに簡単に分離できる。
【００３４】
請求項６に記載の発明によれば、ＪＰＥＧ方式での圧縮処理が施されるため、更に画質の劣化を抑制することができる。
【００３５】
請求項７に記載の発明によれば、請求項１〜６のいずれかに記載の画像処理装置を備えるため、色データの圧縮及び伸長処理に伴う画質の劣化を抑制すると共に、高い圧縮率での圧縮処理が施すことが可能な画像形成装置を実現できる。
【発明を実施するための最良の形態】
【００３６】
以下、本発明に係る実施形態を図面に基づいて説明する。図１は、本発明に係る画像形成装置の一例である複写機の側面図である。複写機１は、本体部２００と、本体部２００の左側に配設された用紙後処理部３００と、ユーザが種々の操作指令等を入力するための操作部４００と、本体部２００の上部に配設された原稿読み取り部５００（原稿読取手段の一部に相当する）と、原稿読み取り部５００の上方に配設された原稿給送部６００とを備えている。
【００３７】
操作部４００は、操作パネル４０１、スタートキー４０２（操作手段の一部に相当する）及びテンキー４０３（操作手段の一部に相当する）等を備えている。操作パネル４０１は、種々の操作画面を表示するとともに、ユーザが種々の操作指令を入力するための種々の操作ボタン等を表示する液晶表示器（ＬＣＤ：Ｌｉｑｕｉｄ  Ｃｒｙｓｔａｌ  Ｄｉｓｐｌａｙ）４０１ａ（表示手段に相当する）、及び、ＬＣＤ４０１ａと一体に配設されたタッチパネル４０１ｂ（操作手段の一部に相当する）等からなるものである。スタートキー４０２は、ユーザが印刷実行指令等を入力するために用いられ、テンキー４０３は、印刷部数等を入力するために用いられるものである。
【００３８】
タッチパネル４０１ｂは長方形状をした薄層体で、縦横にそれぞれ所定ピッチで線状の透明材からなる感圧素材を配列したものを透明カバーで被覆する等により構成されたもので、ＬＣＤ４０１ａの画面上に貼付されている。そして、ＬＣＤ４０１ａ画面に表示される選択などを促すボタンのアドレスと押圧位置とからいずれのボタンが指示されたかが判定し得るように構成されている。
【００３９】
原稿給送部６００は、原稿載置部６０１、原稿排出部６０２、給紙ローラ６０３及び原稿搬送路６０４、コンタクトガラス６０５等を備え、原稿読み取り部５００は、スキャナ５０１等を備えている。
【００４０】
給紙ローラ６０３は、原稿載置部６０１にセットされた原稿を繰り出し、原稿搬送路６０４は、繰り出された原稿を１枚ずつ順にスキャナ５０１上に搬送するものである。スキャナ５０１は、撮像素子（ＣＣＤ；Ｃｈａｒｇｅ  Ｃｏｕｐｌｅｄ  Ｄｅｖｉｃｅ）を備え、搬送された原稿を順次読み取るものであり、読み取られた原稿は原稿排出部６０２に排出される。また、スキャナ５０１は、コンタクトガラス６０５に載置された原稿を読み取る場合は、コンタクトガラス６０５に沿って矢印Ａで示す方向（図の右方向）に移動しつつ原稿を読み取るものである。
【００４１】
本体部２００は、複数の（ここでは、３個の）給紙カセット２０１ａ〜２０１ｃ、複数の（ここでは、３本の）給紙ローラ２０２ａ〜２０２ｃ、手差し給紙部２０１ｄ、手差し給紙ローラ２０２ｄ、転写ローラ２０３、中間転写体ローラ２０４、感光体ドラム２０５、露光装置２０６、イエロー、マゼンタ、シアン、ブラックの各色用の現像装置２０７Ｙ、２０７Ｍ、２０７Ｃ、２０７Ｋ、定着ローラ２０８、排出口２０９、排出トレイ２１０、記録紙搬送路２１１等を備える。
【００４２】
感光体ドラム２０５は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０５に各色別に静電潜像を形成するものである。現像装置２０７Ｙ，２０７Ｍ，２０７Ｃ，２０７Ｋは、各色の現像剤を感光体ドラム２０５に供給して各色別のトナー像を形成するものである。中間転写体ローラ２０４は、感光体ドラム２０５から各色のトナー像が転写され、中間転写体ローラ２０４上にカラーのトナー像が形成されるものである。
【００４３】
一方、給紙ローラ２０２ａ〜２０２ｃは、記録紙が収納された給紙カセット２０１ａ〜２０１ｃから記録紙を引き出し、記録紙搬送路２１１は、引き出された記録紙を転写ローラ２０３へと搬送するものである。転写ローラ２０３は、搬送された記録紙に中間転写体ローラ２０４上のトナー像を転写させるものである。トナー像が転写された記録紙は、記録紙搬送路２１１により定着ローラ２０８へと搬送され、定着ローラ２０８は、転写されたトナー像を加熱して記録紙に定着させるものである。トナー像が定着された記録紙は、記録紙搬送路２１１を介して排出口２０９へと搬送され用紙後処理部３００に搬入される。また、記録紙は、必要に応じて排出トレイ２１０へも排出される。
【００４４】
用紙後処理部３００は、搬入口３０１、記録紙搬送路３０２、搬出口３０３及びスタックトレイ３０４等を備えている。記録紙搬送路３０２は、排出口２０９から搬入口３０１に搬入された記録紙を順次搬送し、最終的に搬出口３０３からスタックトレイ３０４へ記録紙を排出するものである。スタックトレイ３０４は、搬出口３０３から搬出された記録紙の集積枚数に応じて矢印方向に上下動可能に構成されている。
【００４５】
図２は、図１に示す複写機１の制御部の機能構成の一例を示すブロック図である。複写機１は、複写機１の適所に配設され、複写機１の動作を制御する制御部７００を備えている。ここで、制御部７００は、ＣＰＵ（Ｃｅｎｔｒａｌ  Ｐｒｏｃｅｓｓｉｎｇ  Ｕｎｉｔ）７１０、ＣＰＵの作業領域として使用されるＲＡＭ（Ｒａｎｄｏｍ  Ａｃｃｅｓｓ  Ｍｅｍｏｒｙ）７５０、本発明に係る画像処理プログラム等を格納するＲＯＭ（Ｒｅａｄ  Ｏｎｌｙ  Ｍｅｍｏｒｙ：図示省略）等から構成されている。
【００４６】
ＣＰＵ７１０は、図１に示すスキャナ５０１等を介して原稿画像を読み取り画像データを生成する原稿読取部７１１と、原稿読取部７１１によって生成された画像データを画素単位で属性を判定し、文字領域と写真領域とに分類する属性判定部７１２と、写真領域の画像データをＹＵＶ形式にデータ変換するデータ変換部７１３（データ変換手段に相当する）と、写真領域の画像データを所定の画素数からなるブロックに分割するブロック分割部７１４と、画像データが無彩色データであるか否かの判定を行う彩色判定部７１５（彩色判定手段に相当する）と、画像データを構成する輝度データ（Ｙ成分データ）のバラツキを表わす分散値を求める分散値算出部７１６（分散値算出手段に相当する）と、分散値に基づいて圧縮率を設定する圧縮率設定部７１７（圧縮率設定手段に相当する）と、写真領域の画像データに対して圧縮処理を施し、圧縮データを生成する第１圧縮部７１８（圧縮手段に相当する）とを備えている。
【００４７】
また、ＣＰＵ７１０は、文字領域の画像データに対して２値化処理を施す２値化部７１９と、２値化処理された文字領域の画像データに対して圧縮処理を施し、圧縮データを生成する第２圧縮部７２０と、圧縮処理された画像データに対して伸長処理を施す伸長部７２１（伸長手段に相当する）と、伸長処理された画像データを記録紙に印刷する印刷実行部７２２（印刷手段に相当する）とを備えている。
【００４８】
ＲＡＭ７５０は、原稿読取部７１１によって生成された画像データを格納する読取画像記憶部７５１と、第１圧縮部７１８及び第２圧縮部７２０で生成された圧縮データを格納する圧縮画像記憶部７５２（画像データ記憶部に相当する）と、伸長部７２１によって生成された画像データを格納する伸長画像記憶部７５３と、分散値と対応付けて圧縮率を格納する圧縮率記憶部７５４とを備えている。
【００４９】
ここでは、ＣＰＵ７１０が、ＲＯＭ等に予め格納された本発明に係る画像処理プログラムを読み出して実行することにより、原稿読取部７１１、属性判定部７１２、データ変換部７１３、ブロック分割部７１４、彩色判定部７１５等の機能部として機能するものである。
【００５０】
また、ＲＡＭ７５０、ＲＯＭに格納された各種データの内装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしても良く、この場合、記録媒体は、例えばハードディスク、光ディスク、フレキシブルディスク、ＣＤ、ＤＶＤ、半導体メモリ等である。
【００５１】
原稿読取部７１１は、図１に示すスキャナ５０１等を介してカラーの原稿画像を読み取り画素毎にＲ（Ｒｅｄ）、Ｇ（Ｇｒｅｅｎ）、Ｂ（Ｂｌｕｅ）の３成分からなる画像データ（以下、原稿画像データという）を生成し、生成された画像データを読取画像記憶部７５１に格納するものである。
【００５２】
属性判定部７１２は、原稿読取部７１１によって生成された原稿画像データを画素単位で属性を判定し、ここでは、文字領域と写真領域とに分類するものである。例えば、画素の属性を判定するためには、読み取った複数の画素から処理対象として選定した画素である注目画素と、その周囲の画素との間の各色（ＲＧＢデータ）毎の変化量、又は、その変化量の所定区間内の積算値等に基づいて判定すれば良い。ここでは、文字領域と写真領域とに分類する場合について説明するが、文字領域、写真領域、図形領域、網点領域等に分類する形態でも良い。
【００５３】
図３は、属性判定部７１２の処理の内容の一例を説明する図である。（ａ）は、原稿読取部７１１によって生成された原稿画像データに対応する読取画像の一例であり、（ｂ）は、属性判定部７１２によって読取画像が文字領域と写真領域とに分類された結果を示し、（ｃ）は、第２圧縮部７２０によって圧縮される対象の画像データ（以下、第２画像データという）を示し、（ｄ）は、第１圧縮部７１８によって圧縮される対象の画像データ（以下、第１画像データという）を示している。
【００５４】
（ａ）に示す読取画像８００には、左側に、属性判定部７１２によって属性が文字であると判定される複数の画素から構成されるデータである文字データが表示された文字画像部８０１と、右側に、属性判定部７１２によって属性が写真であると判定される複数の画素から構成されるデータである写真データが表示された写真画像部８０２とが含まれている。
【００５５】
（ｂ）に示す読取画像８１０は、（ａ）に示す読取画像８００と同一の画像であり、左側に、属性判定部７１２によって文字領域に含まれる画素であると判定された画素で構成される文字領域８１１と、右側に、属性判定部７１２によって写真領域に含まれる画素であると判定された画素で構成される写真領域８１２とが含まれている。
【００５６】
（ｃ）に示す第２画像データ８２０は、左側に、（ｂ）に示す文字領域８１１に相当する文字情報の領域８２１と、（ｂ）に示す写真領域８１２に相当する白抜きされた（画素のＲＧＢデータが所定の色（例えば白色）に対応するデータに置換された）領域８２２とが含まれている。すなわち、第２画像データ８２０には、文字領域８１１に含まれる文字情報とその文字情報の画像データにおける位置を表わす位置情報とが含まれている。
【００５７】
（ｄ）に示す第１画像データ８３０は、左側に、（ｂ）に示す文字領域８１１に相当する範囲が白抜きされた領域８３１と、（ｂ）に示す写真領域８１２に相当する写真情報の領域８３２とが含まれている。すなわち、第１画像データ８３０は、写真領域８１２に含まれる写真情報とその写真情報の画像データにおける位置を表わす位置情報とが含まれている。
【００５８】
再び、図２に示す機能構成図に戻って、複写機１の機能構成を説明する。データ変換部７１３は、図３に示す写真領域８１２に含まれる画像データを次の（１）〜（３）式を用いてＲＧＢ形式からＹＵＶ形式に変換するものである。
Ｙ＝（Ｒ＋２×Ｇ＋Ｂ）／４      （１）
Ｕ＝（Ｒ−Ｇ）／２      （２）
Ｖ＝（Ｂ−Ｇ）／２      （３）
ここで、Ｙ成分データは、輝度を表わすデータであり、Ｕ、Ｖ成分データは色（彩度）を表わすデータである。また、画像データが色を有さないモノクロデータである場合（Ｒ＝Ｇ＝Ｂが成立する場合）には、Ｕ＝０、且つ、Ｖ＝０が成立する。
【００５９】
ブロック分割部７１４は、図３（ｂ）に示す写真領域８１２の画像データを所定の画素数（例えば、１００００画素＝１００画素×１００画素）からなるブロックに分割するものである。
【００６０】
彩色判定部７１５は、ブロック分割部７１４によって生成された各ブロックに含まれる画像データが無彩色データであるか否かの判定を、次の（４）、（５）式を用いて行うものである。
−ＳＨＵ≦Ｕｉ，ｊ≦ＳＨＵ      （４）
−ＳＨＶ≦Ｖｉ，ｊ≦ＳＨＶ      （５）
ここで、インデックスｉ、ｊは、ブロック分割部７１４によって生成された各ブロックに含まれる画像データに含まれる画素を特定するものであって、例えば、ｉ、ｊ＝１〜１００である。また、閾値ＳＨＵ、ＳＨＶは、無彩色データであるか否かの判定に用いる閾値である。例えば、Ｕ、Ｖ成分データのとり得る値の範囲が「−１２７〜＋１２８」である場合に、閾値ＳＨＵ、ＳＨＶは、「５」に設定されている。
【００６１】
すなわち、彩色判定部７１５は、ブロック分割部７１４によって生成された各ブロックに含まれる画像データに含まれる全ての画素のＵ成分データ及びＶ成分データの絶対値が所定値以下である場合に無彩色データであると判定するものである。
【００６２】
分散値算出部７１６は、ブロック分割部７１４によって生成された各ブロックに含まれる画像データを構成する輝度データ（Ｙ成分データ）のバラツキを表わす分散値を求めるものである。ここで、図４を用いて、分散値算出部７１６による分散値の算出方法の一例について具体的に説明する。
【００６３】
図４は、分散値算出部７１６による分散値の算出方法の一例を示すフローチャートである。まず、インデックスｉ、ｊの値が「１」に初期化される（ステップＳ１０１）。そして、ブロック分割部７１４によって生成された各ブロックに含まれる画像データのＹ成分データの合計ＡＤの値が「０」に初期化される（ステップＳ１０３）。
【００６４】
次、次の（６）式を用いて、合計ＡＤの値が更新される（ステップＳ１０５）。
ＡＤ←ＡＤ＋Ｙｉ，ｊ      （６）
そして、インデックスｉの値が最大値Ｎ（ここでは、１００）以上であるか否かの判定が行われる（ステップＳ１０７）。最大値Ｎ以上ではない（最大値Ｎ未満である）と判定された場合（ステップＳ１０７でＮＯ）には、インデックスｉが１だけインクリメントされ（ステップＳ１０９）、処理がステップＳ１０５に戻される。最大値Ｎ以上であると判定された場合（ステップＳ１０７でＹＥＳ）には、インデックスｊの値が最大値Ｍ（ここでは、１００）以上であるか否かの判定が行われる（ステップＳ１１１）。
【００６５】
最大値Ｍ以上ではない（最大値Ｍ未満である）と判定された場合（ステップＳ１１１でＮＯ）には、インデックスｊが１だけインクリメントされ（ステップＳ１１３）、処理がステップＳ１０５に戻される。最大値Ｍ以上であると判定された場合（ステップＳ１１１でＹＥＳ）には、次の（７）式を用いて平均値ＡＶが求められる（ステップＳ１１５）。
ＡＶ←ＡＤ／（Ｎ×Ｍ）      （７）
そして、インデックスｉ、ｊの値が再び「１」に初期化される（ステップＳ１１７）。
【００６６】
次いで、分散値を求めるための総和ＳＧが「０」に初期化される（ステップＳ１１９）。そして、次の（８）式を用いて、総和ＳＧの値が更新される（ステップＳ１２１）。
ＳＧ←ＳＧ＋（Ｙｉ，ｊ−ＡＶ）２      （８）
次、インデックスｉの値が最大値Ｎ以上であるか否かの判定が行われる（ステップＳ１２３）。最大値Ｎ以上ではない（最大値Ｎ未満である）と判定された場合（ステップＳ１２３でＮＯ）には、インデックスｉが１だけインクリメントされ（ステップＳ１２５）、処理がステップＳ１２１に戻される。最大値Ｎ以上であると判定された場合（ステップＳ１２３でＹＥＳ）には、インデックスｊの値が最大値Ｍ以上であるか否かの判定が行われる（ステップＳ１２７）。
【００６７】
最大値Ｍ以上ではない（最大値Ｍ未満である）と判定された場合（ステップＳ１２７でＮＯ）には、インデックスｊが１だけインクリメントされ（ステップＳ１２９）、処理がステップＳ１２１に戻される。最大値Ｍ以上であると判定された場合（ステップＳ１２７でＹＥＳ）には、次の（９）式を用いて、分散値σｙが求められ（ステップＳ１３１）、処理が終了される。
σｙ←ＳＱＲＴ（ＳＧ／（Ｎ×Ｍ））      （９）
ただし、ＳＱＲＴ（Ｘ）はＸの平方根を求める関数である。
【００６８】
このようにして、分散値σｙが求められる。すなわち、分散値σｙは、ブロック分割部７１４によって生成された各ブロックに含まれる画像データを構成するＹ成分データの平均値ＡＶに対する各画素のＹ成分データの値の分散値である。
【００６９】
再び、図２に示す機能構成図に戻って、複写機１の機能構成を説明する。圧縮率設定部７１７は、分散値算出部７１６によって求められた分散値σｙに対応する圧縮率を圧縮率記憶部７５４から読み出して、圧縮率を設定するものである。なお、圧縮率記憶部７５４には後述するように、分散値σｙに対応付けて圧縮率が格納されている。
【００７０】
第１圧縮部７１８は、ブロック分割部７１４によって生成された各ブロックに含まれる画像データ毎に、圧縮率設定部７１７で設定された圧縮率の圧縮処理を施し、圧縮データを生成して、生成した圧縮データを圧縮画像記憶部７５２に格納するものである。ここで、圧縮処理は、例えば、ＪＰＥＧ（Ｊｏｉｎｔ  Ｐｈｏｔｏｇｒａｐｈｉｃ  Ｅｘｐｅｒｔｓ  Ｇｒｏｕｐ）方式で行われるものである。
【００７１】
また、第１圧縮部７１８は、彩色判定部７１５によって画像データが無彩色データであると判定された場合に、画像データの内、輝度データ（ここではＹ成分データ）に対して圧縮率設定部７１７で設定された圧縮率の圧縮処理を施すものである。
【００７２】
２値化部７１９は、図３に示す文字領域８１２に含まれる画像データに対して多値データ（例えば、−１２７〜１２８の値のデータ）を２値化（例えば、「０」及び「１」からなるデータ）する処理である２値化処理を施すものである。
【００７３】
第２圧縮部７２０は、２値化部７１９によって２値化処理を施された画像データに対して圧縮処理を施し、圧縮データを生成して、生成した圧縮データを圧縮画像記憶部７５２に格納するものである。ここで、圧縮処理は、例えば、ＭＭＲ（Ｍｏｄｉｆｉｅｄ  Ｍｏｄｉｆｉｅｄ  Ｒｅａｄ）圧縮方式で行われるものである。
【００７４】
伸長部７２１は、圧縮画像記憶部７５２に格納された圧縮データを読み出して伸長処理を施すと共に、伸長処理された複数の画像データを合成して伸長画像データを生成し、伸長画像記憶部７５３に格納するものである。より具体的には、伸長部７２１は、圧縮画像記憶部７５２に格納された圧縮データの内、第１圧縮部７１８によって圧縮された圧縮データに対しては、ＪＰＥＧ方式の伸長処理を施し、第２圧縮部７２０によって圧縮された圧縮データに対しては、ＭＭＲ方式の伸長処理を施すと共に、両者を合成して伸長画像データを生成するものである。
【００７５】
印刷実行部７２２は、伸長部７２１によって伸長処理された画像データを伸長画像記憶部７５３から読み出して、記録紙に印刷するものである。具体的には、伸長画像記憶部７５３に格納された画像データを読み出して、図１に示す本体部２００を構成する転写ローラ２０３、中間転写体ローラ２０４、感光体ドラム２０５、露光装置２０６、現像装置２０７Ｙ、２０７Ｍ、２０７Ｃ、２０７Ｋ、定着ローラ２０８等に対して、画像データを記録紙に印刷するべく指示信号を出力するものである。
【００７６】
読取画像記憶部７５１は、原稿読取部７１１によって生成された画像データを格納するものである。圧縮画像記憶部７５２は、第１圧縮部７１８及び第２圧縮部７２０で生成された圧縮データを格納するものである。伸長画像記憶部７５３は、伸長部７２１によって生成された画像データを格納するものである。
【００７７】
圧縮率記憶部７５４は、分散値と対応付けて圧縮率を格納するものであり、図５を用いて具体的に説明する。図５は、分散値σｙと圧縮率ＲＤとの関係の一例を示すグラフである。（ａ）、（ｂ）は、共に横軸が分散値σｙであり、縦軸が圧縮率ＲＤである。
【００７８】
（ａ）は、分散値σｙが増大する程、圧縮率ＲＤが減少するグラフであり、画質を重視する場合に適用されるものである。ここでは、（ａ）に示すグラフを用いて、圧縮率設定部７１７が圧縮率ＲＤを設定するものとする。（ｂ）は、分散値σｙが増大する程、圧縮率ＲＤが増大するグラフであり、圧縮率を重視する場合に適用されるものである。
【００７９】
上述のようにして、彩色判定部７１５によって画像データが無彩色データであると判定された場合に、第１圧縮部７１８によって、画像データの内、輝度データ（ここではＹ成分データ）に対して所定の圧縮率での圧縮処理を施して画像データの圧縮データが生成されるため、画質の劣化を抑制すると共に、高い圧縮率での圧縮処理を施すことが可能となる。
【００８０】
また、圧縮率設定部７１７によって、輝度データ（ここではＹ成分データ）のバラツキを表わす分散値σｙに基づいて設定された圧縮率ＲＤでの圧縮処理が施されるため、適正な圧縮率ＲＤでの圧縮処理が施される。
【００８１】
更に、輝度データ（ここではＹ成分データ）のバラツキである分散値σｙが大きい画像データは、画質の劣化が生じ易く、分散値が小さい程、大きい圧縮率ＲＤが設定される（逆に、分散値σｙが大きい程、小さい圧縮率ＲＤが設定される）ため、圧縮に伴う画質の劣化が抑制される。
【００８２】
加えて、データ変換部７１３によって、画像データがＹＵＶ形式に変換されるため、画像データが輝度データ（ここではＹ成分データ）と色データ（Ｕ成分データ及びＶ成分データ）とに簡単に分離される。
【００８３】
また、第１圧縮部７１８によって、ＪＰＥＧ方式での圧縮処理が施されるため、更に画質の劣化を抑制することが可能となる。
【００８４】
なお、本発明は以下の態様をとることができる。
【００８５】
（Ａ）本実施形態においては、画像形成装置が複写機１である場合について説明したが、他の種類の画像形成装置（例えば、ファクシミリ、プリンタ等）である形態でも良い。
【００８６】
（Ｂ）本実施形態においては、データ変換部７１３が画像データをＹＵＶ形式にデータ変換する場合について説明したが、輝度を表わすデータである輝度データと色彩を表わすデータである色データとに変換する形態であれば良い。例えば、Ｌａ＊ｂ＊形式等の形式に変換する形態でも良い。
【００８７】
（Ｃ）本実施形態においては、彩色判定部７１５が、画像データを構成する全て画素のＵ、Ｖ成分データが所定の範囲内（（４）、（５）式参照）にある場合に無彩色データであると判定する場合について説明したが、その他の方法で無彩色データであるか否かを判定する形態でも良い。
【００８８】
例えば、画像データを構成する画素内、Ｕ、Ｖ成分データが所定の範囲内（（４）、（５）式参照）にある画素の割合が所定値（例えば、９８％）以上である場合に無彩色データであると判定する形態でも良い。この場合には、図１に示すスキャナ５０１の読み取り誤差やコンタクトガラス６０５上に汚れがある場合にも、的確な判定が可能となる。
【００８９】
（Ｄ）本実施形態においては、第１圧縮部７１８が圧縮率設定部７１７によって設定された圧縮率で画像データに圧縮処理を施す場合について説明したが、予め設定された所定の圧縮率（例えば、５０％）で画像データに圧縮処理を施す形態でも良い。この場合には、処理が簡略化される。
【００９０】
（Ｅ）本実施形態においては、分散値算出部７１６が、図４に示す方法で分散値σｙを算出する場合について説明したが、その他の方法で分散値を算出する形態でも良い。例えば、平均値ＡＶからの差の最大値を分散値σｙとして求める形態でも良い。この場合には、処理が簡略化される。
【００９１】
（Ｆ）本実施形態においては、圧縮率設定部７１７が分散値σｙが大きい程、小さい圧縮率ＲＤを設定する場合について説明したが、分散値σｙが大きい程、大きい圧縮率ＲＤを設定する形態でも良い。この場合には、第１圧縮部７１８による画像データの圧縮処理の圧縮率ＲＤが増大され、圧縮画像記憶部７５２の容量が削減される。
【図面の簡単な説明】
【００９２】
【図１】本発明に係る画像形成装置の一例である複写機の側面図である。
【図２】図１に示す複写機の機能構成の一例を示すブロック図である。
【図３】属性判定部の処理の内容の一例を説明する図である。
【図４】分散値算出部による分散値の算出方法の一例を示すフローチャートである。
【図５】分散値σｙと圧縮率ＲＤとの関係の一例を示すグラフである。
【符号の説明】
【００９３】
１  複写機（画像形成装置）
２００  本体部
３００  用紙後処理部
４００  操作部
５００  原稿読み取り部
６００  原稿給送部
７００  制御部
７１０  ＣＰＵ
７１１  原稿読取部
７１２  属性判定部
７１３  データ変換部（データ変換手段）
７１４  ブロック分割部
７１５  彩色判定部（彩色判定手段）
７１６  分散値算出部（分散値算出手段）
７１７  圧縮率設定部（圧縮率設定手段）
７１８  第１圧縮部（圧縮手段）
７１９  ２値化部
７２０  第２圧縮部
７２１  伸長部
７２２  印刷実行部（印刷手段）
７５０  ＲＡＭ
７５１  読取画像記憶部
７５２  圧縮画像記憶部
７５３  伸長画像記憶部
７５４  圧縮率記憶部
【図１】
2006287400.tif 000003
【図２】
2006287400.tif 000004
【図３】
2006287400.tif 000005
【図４】
2006287400.tif 000006
【図５】
2006287400.tif 000007